(57)【要約】【課題】取付対象となる框部材の表面形状に関わらず、取り付け操作を容易に行う。【解決手段】表面に手掛かり用凹部１１１を設けた引手本体１１０と、引手本体１１０の凸部１１３に取付基部１２１を介して取り付けた取付片１２０とを有し、取付片１２０を縦框部材３０に設けた取付孔３２に挿入した場合に取付基部１２１の端部に設けた押圧片部１２２を取付孔３２の内周面に圧接させ、かつ取付基部１２１の端部に設けた係止片部１２３を縦框部材３０の内表面に対向させることにより、縦框部材３０に取り付けられる障子用掘込引手１０であって、取付基部１２１の端部において係止片部１２３との間となる部分には、引手本体１１０の凸部１１３から取付基部１２１の延在方向に沿って突出し、取付片１２０を取付孔３２に挿通する際に取付孔３２の周囲に当接することにより、引手本体１１０との接触線Ｃを軸として弾性変形する延長突出部１２１ａを設けた。【選択図】図６
2015158088.tif 000002
【特許請求の範囲】
【請求項１】
裏面が凸部となるように表面に手掛かり用凹部を設けた引手本体と、前記引手本体の凸部に取付基部を介して取り付けた取付片とを有し、前記引手本体の凸部を框部材に設けた取付孔に挿入した場合に前記取付基部の端部に設けた押圧片部を前記取付孔の内周面に圧接させ、かつ前記取付基部の端部に設けた係止片部を前記框部材の内表面に対向させることにより、前記框部材に取り付けられる障子用掘込引手であって、
前記取付基部の端部において前記係止片部の基端との間となる部分には、前記引手本体の凸部から前記取付基部の延在方向に沿って突出し、前記引手本体の凸部を前記取付孔に挿通する際に前記取付孔の周囲に当接することにより、前記引手本体との接触線を軸として弾性変形する延長突出部を設けたことを特徴とする障子用掘込引手。
【請求項２】
裏面が凸部となるように表面に手掛かり用凹部を設けた引手本体を備えるとともに、前記引手本体の凸部には押圧片部及び係止片部を一体に形成し、前記引手本体の凸部を框部材に設けた取付孔に挿入した場合に前記押圧片部を前記取付孔の内周面に圧接させ、かつ前記係止片部を前記框部材の内表面に対向させることにより、前記框部材に取り付けられる障子用掘込引手であって、
前記引手本体の凸部と前記係止片部の基端との間となる部分には、前記引手本体の凸部から該凸部の底壁に沿って突出し、前記引手本体の凸部を前記取付孔に挿通する際に前記取付孔の周囲に当接することにより、前記引手本体の凸部との接合境界線を軸として弾性変形する延長突出部を設けたことを特徴とする障子用掘込引手。
【請求項３】
前記引手本体は、手掛かり用凹部の周囲にフランジを有し、
前記押圧片部は、前記延長突出部から前記フランジに近接する方向に屈曲して延在し、かつその先端面と前記フランジとの間に隙間を確保するように設けられたものであり、
前記引手本体の凸部を前記取付孔に挿通する際に前記延長突出部が弾性変形した場合は前記押圧片部の先端面が前記フランジの裏面に当接することを特徴とする請求項１または請求項２に記載の障子用掘込引手。
【請求項４】
前記框部材の見付け面に前記框部材の長手方向に沿った溝状凹部を有するとともに、前記溝状凹部の底壁に前記取付孔を有した障子を取付対象とし、
前記フランジを前記框部材の見付け面に当接させた場合に、前記フランジと、前記溝状凹部の底壁との間の隙間を覆うように、前記フランジにカバー部を設けたことを特徴とする請求項３に記載の障子用掘込引手。
【請求項５】
請求項１〜請求項４のいずれか一つに記載した障子用掘込引手を前記框部材に取り付けたことを特徴とする障子。
【請求項６】
前記取付孔の両端隅部を弧状に形成し、前記押圧片部の両側縁部をそれぞれ前記取付孔の内周面において弧状に形成した部分に当接させることを特徴とする請求項５に記載の障子。
【発明の詳細な説明】
【技術分野】
【０００１】
本発明は、障子用掘込引手及び障子に関するものである。
【背景技術】
【０００２】
引違い窓や片引き窓等のように、開口枠に対してスライドさせて開閉する障子には、手掛かりとして掘込引手を設けるようにしたものがある。掘込引手は、縦框部材に設けられた取付孔に取り付けられるもので、引手本体と取付片とを備えている。
【０００３】
引手本体は、例えば、薄板部材を成型して構成されたもので、裏面が凸部となるように表面に手掛かり用凹部が設けられている。引手本体の凸部は、縦框部材の取付孔に挿通することができる大きさに形成されている。引手本体において手掛かり用凹部の周囲には、フランジが設けられている。
【０００４】
取付片は、取付基部を介して引手本体の凸部に取り付けられるもので、取付基部の両端部に押圧片部及び係止片部を有している。押圧片部は、取付基部の端部からそれぞれフランジに近接する方向に屈曲した部分である。押圧片部の先端部とフランジの裏面との間には、縦框部材の板厚よりも小さい間隔が確保されている。係止片部は、押圧片部の中間部から外方に切り起こされたものである。押圧片部の先端部相互間及び係止片部の先端部相互間は、それぞれ縦框部材に設けられた取付孔よりも大きな寸法となるように設定されている。
【０００５】
この掘込引手は、縦框部材の見付け面から取付孔の内部に押し込めば、係止片部が内方に向けて弾性変形することで取付孔を通過し、その後、フランジが見付け面に当接されるまでの間に係止片部が元の状態に復帰して縦框部材の内表面に対向される。また、フランジが見付け面に当接された場合には、押圧片部がそれぞれ取付孔の内周面に圧接された状態となる。従って、ネジ部材等の取付部材を用いなくても、縦框部材に対してがたつくことなく掘込引手を取り付けることができる（例えば、特許文献１参照）。
【先行技術文献】
【特許文献】
【０００６】
【特許文献１】実開昭５７−３８０８１号公報
【発明の概要】
【発明が解決しようとする課題】
【０００７】
ところで、障子の框部材には、成型段階で見付け面に手掛かりとして機能させるための溝状凹部を設けるようにしたものがある。この種の障子によれば、掘込引手を取り付けずとも、障子を開閉させることができるため、製造コストの点や製造時の取り扱い部品点数の点で有利となる。しかしながら、成型段階で設けることのできる溝状凹部の寸法には制限がある。このため、障子の中には、製造段階で溝状凹部を設けた框部材に対してさらに掘込引手を設けるようにしたものもある。
【０００８】
ここで、溝状凹部が設けられた框部材に対して取り付けられる掘込引手は、引手本体のフランジが、溝状凹部の両側に位置する見付け面に当接する一方、取付片の係止片部が、溝状凹部の底壁を構成する部分に形成された取付孔を通過して底壁の内表面に対向配置されることになる。つまり、框部材の見付け面と溝状凹部の底壁とに段差があるため、取付片の取付基部に設けられる係止片部の長さを十分に確保することが困難となり、係止片部を弾性変形させて框部材の取付孔に挿入する際に大きな操作力が必要となる。特に、掘込引手をステンレス等の金属で成型した場合には、係止片部を弾性変形させる際に必要となる操作力がより一層大きなものとなるため、框部材の見付け面から取付孔の内部に掘込引手を押し込んだ場合にも掘込引手を取り付けることが困難となる場合がある。
【０００９】
本発明は、上記実情に鑑みて、取付対象となる框部材の表面形状に関わらず、取り付け操作を容易に行うことのできる障子用掘込引手及び障子を提供することを目的とする。
【課題を解決するための手段】
【００１０】
上記目的を達成するため、本発明に係る障子用掘込引手は、裏面が凸部となるように表面に手掛かり用凹部を設けた引手本体と、前記引手本体の凸部に取付基部を介して取り付けた取付片とを有し、前記引手本体の凸部を框部材に設けた取付孔に挿入した場合に前記取付基部の端部に設けた押圧片部を前記取付孔の内周面に圧接させ、かつ前記取付基部の端部に設けた係止片部を前記框部材の内表面に対向させることにより、前記框部材に取り付けられる障子用掘込引手であって、前記取付基部の端部において前記係止片部の基端との間となる部分には、前記引手本体の凸部から前記取付基部の延在方向に沿って突出し、前記引手本体の凸部を前記取付孔に挿通する際に前記取付孔の周囲に当接することにより、前記引手本体との接触線を軸として弾性変形する延長突出部を設けたことを特徴とする。
【００１１】
この発明によれば、引手本体の凸部を框部材の取付孔に挿通する際に取付基部の延長突出部が引手本体の接触線を軸として弾性変形し、係止片部が取付孔に対して変形し易い姿勢となるため、取付孔に挿通させる際の操作力を低減することが可能となる。
【００１２】
また、本発明に係る障子用掘込引手は、裏面が凸部となるように表面に手掛かり用凹部を設けた引手本体を備えるとともに、前記引手本体の凸部には押圧片部及び係止片部を一体に形成し、前記引手本体の凸部を框部材に設けた取付孔に挿入した場合に前記押圧片部を前記取付孔の内周面に圧接させ、かつ前記係止片部を前記框部材の内表面に対向させることにより、前記框部材に取り付けられる障子用掘込引手であって、前記引手本体の凸部と前記係止片部の基端との間となる部分には、前記引手本体の凸部から該凸部の底壁に沿って突出し、前記引手本体の凸部を前記取付孔に挿通する際に前記取付孔の周囲に当接することにより、前記引手本体の凸部との接合境界線を軸として弾性変形する延長突出部を設けたことを特徴とする。
【００１３】
この発明によれば、引手本体の凸部を框部材の取付孔に挿通する際に延長突出部が引手本体の凸部との接合境界線を軸として弾性変形し、係止片部が取付孔に対して変形し易い姿勢となるため、取付孔に挿通させる際の操作力を低減することが可能となる。
【００１４】
また本発明は、上述した障子用掘込引手において、前記引手本体は、手掛かり用凹部の周囲にフランジを有し、前記押圧片部は、前記延長突出部から前記フランジに近接する方向に屈曲して延在し、かつその先端面と前記フランジとの間に隙間を確保するように設けられたものであり、前記引手本体の凸部を前記取付孔に挿通する際に前記延長突出部が弾性変形した場合は前記押圧片部の先端面が前記フランジの裏面に当接することを特徴とする。
【００１５】
この発明によれば、押圧片部がフランジに当接することで延長突出部の弾性変形が制限されることになり、係止片部に効率よく力が加えられることになる。
【００１６】
また本発明は、上述した障子用掘込引手において、前記框部材の見付け面に前記框部材の長手方向に沿った溝状凹部を有するとともに、前記溝状凹部の底壁に前記取付孔を有した障子を取付対象とし、前記フランジを前記框部材の見付け面に当接させた場合に、前記フランジと、前記溝状凹部の底壁との間の隙間を覆うように、前記フランジにカバー部を設けたことを特徴とする。
【００１７】
この発明によれば、引手本体のフランジを框部材の見付け面に当接させた場合に、フランジと溝状凹部の底壁との間の隙間がカバー部によって覆われることになり、外観品質の向上を図ることができる。
【００１８】
また本発明に係る障子は、上述したいずれかに記載の障子用掘込引手を前記框部材に取り付けたことを特徴とする。
【００１９】
この発明によれば、取付片を框部材の取付孔に挿通する際に延長突出部が引手本体の接触線を軸として弾性変形し、係止片部が取付孔に対して変形し易い姿勢となるため、取付孔に挿通させる際の操作力を低減することが可能となる。
【００２０】
また本発明は、上述した障子において、前記取付孔の両端隅部を弧状に形成し、前記押圧片部の両側縁部をそれぞれ前記取付孔の内周面において弧状に形成した部分に当接させることを特徴とする。
【００２１】
この発明によれば、框部材の見込み面に沿った掘込引手の２方向の移動が制限されることになる。
【発明の効果】
【００２２】
本発明によれば、引手本体の凸部を框部材の取付孔に挿通する際に延長突出部が弾性変形し、係止片部が取付孔に対して変形し易い姿勢となるため、取付孔に挿通させる際の操作力を低減することが可能となり、例えば係止片部の長さを十分に確保することが困難な場合であっても、掘込引手を容易に取り付けることができる。
【図面の簡単な説明】
【００２３】
【図１】図１は、本発明の実施の形態１である障子用掘込引手の分解斜視図である。
【図２−１】図２−１は、図１に示した掘込引手とその取付対象となる框部材とを示す分解斜視図である。
【図２−２】図２−２は、図１に示した掘込引手を框部材に取り付けた状態の斜視図である。
【図３−１】図３−１は、図１に示した掘込引手とその取付対象となる框部材とを示す横断面図である。
【図３−２】図３−２は、図１に示した掘込引手を框部材に取り付けた状態の横断面図である。
【図４】図４は、図１に示した掘込引手の取付対象となる框部材の要部を示す図である。
【図５−１】図５−１は、図１に示した掘込引手を框部材に取り付ける状態の縦断面図である。
【図５−２】図５−２は、図１に示した掘込引手を框部材に取り付けた状態の縦断面図である。
【図６】図６は、図１に示した掘込引手を框部材に取り付ける状態を順に示した要部断面図である。
【図７−１】図７−１は、本発明の実施の形態２である障子用掘込引手を框部材に取り付ける状態の縦断面図である。
【図７−２】図７−２は、図７−１に示した掘込引手を框部材に取り付けた状態の縦断面図である。
【図８】図８は、図７−１に示した掘込引手を框部材に取り付ける状態を順に示した要部断面図である。
【発明を実施するための形態】
【００２４】
以下、添付図面を参照しながら本発明に係る障子用掘込引手及び障子の好適な実施の形態について詳細に説明する。
【００２５】
（実施の形態１）
図１は、本発明の実施の形態１である掘込引手を示したものである。ここで例示する掘込引手１０は、図２−１〜図３−２に示すように、左右方向にスライドする障子の縦框部材３０を取付対象とするものである。掘込引手１０の取付対象となる縦框部材３０は、アルミニウムやアルミニウム合金等の金属によって成型した押し出し形材であり、全長にわたってほぼ一様な断面形状を有するように構成してある。この縦框部材３０には、室内側に臨む見付け面に溝状凹部３１及び取付孔３２が設けてある。溝状凹部３１は、縦框部材３０の長手方向に沿って延在したもので、指先を挿入して引掛けることのできる深さ、例えば１０ｍｍ程度の深さを有するように形成してある。取付孔３２は、溝状凹部３１の底壁３１ａに縦框部材３０の長手方向に沿って形成した開口である。取付孔３２の両端部は、図４に示すように、中央部よりもわずかに幅が狭くなるように形成してあり、さらに両側の四隅部にそれぞれ弧状に形成した弧状部３２ａを有している。
【００２６】
この縦框部材３０を取付対象とする掘込引手１０は、溝状凹部３１に形成した取付孔３２を介して装着するもので、図１及び図５−１に示すように、引手本体１１０と取付片１２０とを備えている。本実施の形態１の引手本体１１０及び取付片１２０は、それぞれステンレス等の金属によって成型したものである。
【００２７】
引手本体１１０は、縦框部材３０の見付け面に現れる部分であり、溝状凹部３１とほぼ同等の幅を有した薄板を成型することによって構成してある。引手本体１１０には、表面に手掛かり用凹部１１１が設けてあるとともに、手掛かり用凹部１１１の周囲にフランジ１１２が設けてある。
【００２８】
手掛かり用凹部１１１は、裏面が凸部１１３となるように引手本体１１０の表面に形成したものである。手掛かり用凹部１１１の両端部は、フランジ１１２に向かうに従って漸次互いに離隔するように傾斜している。この手掛かり用凹部１１１は、縦框部材３０に形成した溝状凹部３１よりも大きな深さを有し、かつ裏面の凸部１１３が縦框部材３０の取付孔３２に挿入することのできる寸法となるように形成してある。
【００２９】
フランジ１１２は、裏面を介して縦框部材３０の見付け面に当接される部分であり、全周が同一の平面上となるように構成してある。フランジ１１２の両端部には、カバー部１１４が一体に設けてある。カバー部１１４は、それぞれのフランジ１１２の端部から裏面側に向けて屈曲した薄板部分である。このカバー部１１４は、図５−１及び図５−２に示すように、裏面の凸部１１３を溝状凹部３１から取付孔３２に挿入し、かつフランジ１１２の裏面を縦框部材３０の見付け面に当接させた場合に、溝状凹部３１の底壁３１ａに対して直角となる姿勢で溝状凹部３１に配置され、取付孔３２が溝状凹部３１を介して外部から見えないように覆い隠す機能を有している。
【００３０】
取付片１２０は、薄板状の部材を成型することによって構成したもので、図１及び図５−１に示すように、取付基部１２１、押圧片部１２２及び係止片部１２３を有している。取付基部１２１は、矩形の平板状を成す部材である。この取付基部１２１は、長手方向において、引手本体１１０の裏面に突出する凸部１１３の底壁長手方向よりも長く形成してあり、両端部が凸部１１３の両端からそれぞれ突出した状態で凸部１１３の底壁に固定してある。取付基部１２１において凸部１１３の両端から突出した延長突出部１２１ａは、それぞれ同じ長さを有している。取付基部１２１の短手方向は、取付孔３２の端部に当接させた場合に、延長突出部１２１ａの両縁部がそれぞれ取付孔３２の弧状部３２ａに当接するように構成してある。取付基部１２１を引手本体１１０の裏面に固定する方法としては、例えば両者の間を複数箇所でスポット溶接により固着すれば良い。
【００３１】
押圧片部１２２は、取付基部１２１と同じ幅を有したもので、取付基部１２１の両端部に位置する延長突出部１２１ａからそれぞれ引手本体１１０のフランジ１１２に近接する方向に屈曲している。押圧片部１２２の先端とフランジ１１２の裏面との間には、隙間が確保してある。２つの押圧片部１２２は、先端に向けて漸次相互間隔が大きくなるように傾斜している。２つの押圧片部１２２の先端部相互間には、取付孔３２の長手方向に沿った開口長さよりも大きな寸法が確保してある。また、図５−１に示すように、一方の押圧片部１２２のみを取付孔３２に挿通させて斜めの姿勢となった状態においては、取付基部１２１のもう一方の端部が取付孔３２の開口端をわずかに超えた位置となり、取付孔３２に挿通不可となるように、取付基部１２１の寸法及び押圧片部１２２の屈曲角度が設定してある。
【００３２】
係止片部１２３は、図１に示すように、押圧片部１２２の幅方向中央部において延長突出部１２１ａとの屈曲部近傍を切り起こすことによって構成した小片状部分であり、先端部が押圧片部１２２よりも外側に突出している。２つの係止片部１２３は、先端に向けて漸次相互間隔が大きくなるように傾斜している。２つの係止片部１２３の先端部相互間には、取付孔３２の長手方向に沿った開口長さよりも大きな寸法が確保してある。この係止片部１２３は、フランジ１１２の裏面を縦框部材３０の見付け面に当接させた場合に、取付孔３２を通過し、先端が溝状凹部３１の底壁３１ａに対して内表面から対向できるように、延長突出部１２１ａからの寸法が設定してある。
【００３３】
上記のように構成した掘込引手１０を縦框部材３０に取り付けるには、図５−１に示すように、一方の押圧片部１２２のみを取付孔３２に挿通させて斜めの姿勢とし、この状態からもう一方の端部を取付孔３２の内部に押し込んで図５−２に示すように、凸部１１３を取付孔３２の内部に配置させれば良い。すなわち、一方の押圧片部１２２のみを取付孔３２に挿通させて斜めの姿勢とした場合には、図６の（ａ）に示すように、取付基部１２１のもう一方の延長突出部１２１ａが取付孔３２の開口端をわずかに超えた位置となる。従って、この部分を押し込むように掘込引手１０に力を加えると、図６の（ｂ）に示すように、取付基部１２１において凸部１１３から突出した延長突出部１２１ａが凸部１１３との接触線Ｃを軸としてフランジ１１２の裏面に近接する方向に弾性変形する。これにより、取付基部１２１が取付孔３２の内部に配置されるとともに、凸部１１３からの突出長さが短くなるため、延長突出部１２１ａから屈曲した押圧片部１２２及び係止片部１２３がそれぞれ取付孔３２に挿入し易い傾斜角度となって取付孔３２の内部に案内される。
【００３４】
しかも、押圧片部１２２の先端がフランジ１１２の裏面に当接した後においては、延長突出部１２１ａの弾性変形が進行しないため、掘込引手１０を押し込む力が取付孔３２の開口縁部に当接した係止片部１２３に効率よく伝えられることになり、大きな操作力を加えなくても係止片部１２３が内方に向けて弾性変形されることになる。その後、図６の（ｃ）に示す状態を経て図６の（ｄ）に示すように、係止片部１２３の先端が取付孔３２を通過した時点で係止片部１２３及び延長突出部１２１ａがそれぞれ元の状態に復帰し、係止片部１２３の先端が底壁３１ａの内表面に対向された状態となるとともに、取付片１２０の押圧片部１２２が取付孔３２において弧状部３２ａの内周面に圧接された状態となる。押圧片部１２２が取付孔３２の弧状部３２ａに圧接された状態においては、取付孔３２の長手方向及び短手方向への取付片１２０の移動が制限されることになる。これらの結果、ネジ部材等の取付部材を用いなくても、縦框部材３０に対してがたつくことなく掘込引手１０を取り付けることができるようになる。
【００３５】
尚、上述した実施の形態１では、左右方向にスライドする障子の縦框部材を取付対象とした掘込引手を例示しているが、上下方向にスライドする障子に対して上框部材及び下框部材を取付対象としてももちろん良い。また、見付け面に溝状凹部を有した框部材を取付対象としているが、溝状凹部を有していない框部材にも取り付けることは可能である。
【００３６】
さらに、上述した実施の形態１では、取付基部の両端部に延長突出部を設けるようにしているが、取付基部の少なくとも一方の端部に延長突出部を設ければ十分である。また、押圧片部を切り起こすことによって係止片部を構成しているが、押圧片部と係止片部とは互いに独立した位置に設けても良い。
【００３７】
また、上述した実施の形態１では、掘込引手の引手本体及び取付片を金属によって成型するようにしているが、必ずしも金属によって成型する必要はなく、例えば以下に示す実施の形態２のように樹脂によって成形しても構わない。
【００３８】
（実施の形態２）
図７〜図８は、掘込引手を樹脂によって一体成形した本発明の実施の形態を示したものである。ここで例示する掘込引手２０は、実施の形態１と同様、左右方向にスライドする障子の縦框部材３０を取付対象とするもので、溝状凹部３１の取付孔３２に取り付ける掘込引手２０の構成のみが異なっている。以下、実施の形態１と相違する部分を中心に説明を行う。尚、実施の形態１と同様の構成については同一の符号を付している。
【００３９】
掘込引手２０の引手本体２１０には、表面に手掛かり用凹部２１１が設けてあるとともに、手掛かり用凹部２１１の周囲にフランジ２１２が設けてある。
【００４０】
手掛かり用凹部２１１は、裏面が凸部２１３となるように引手本体２１０の表面に形成したものである。手掛かり用凹部２１１の両端部は、フランジ２１２に向かうに従って漸次互いに離隔するように傾斜している。この手掛かり用凹部２１１は、縦框部材３０に形成した溝状凹部３１よりも大きな深さを有し、かつ裏面の凸部２１３が縦框部材３０の取付孔３２に挿入することのできる寸法となるように形成してある。
【００４１】
フランジ２１２は、裏面を介して縦框部材３０の見付け面に当接される部分であり、全周が同一の平面上となるように構成してある。フランジ２１２の両端部には、カバー部２１４が一体に設けてある。カバー部２１４は、それぞれのフランジ２１２の端部から裏面側に向けて屈曲した薄板部分である。このカバー部２１４は、図７−１及び図７−２に示すように、裏面の凸部２１３を溝状凹部３１から取付孔３２に挿入し、かつフランジ２１２の裏面を縦框部材３０の見付け面に当接させた場合に、溝状凹部３１の底壁３１ａに対して直角となる姿勢で溝状凹部３１に配置され、取付孔３２が溝状凹部３１を介して外部から見えないように覆い隠す機能を有している。
【００４２】
また、引手本体２１０の凸部２１３には、延長突出部２１３ａ、押圧片部２２２及び係止片部２２３が設けてある。延長突出部２１３ａは、矩形の平板状を成す部材であり、引手本体２１０の裏面に突出する凸部２１３の長手方向両端部からそれぞれ凸部２１３の底壁に沿って延在するように形成してある。延長突出部２１３ａの短手方向は、実施の形態１と同様、取付孔３２の端部に当接させた場合に、延長突出部２１３ａの両縁部がそれぞれ取付孔３２の弧状部（図示せず）に当接するように構成してある。
【００４３】
押圧片部２２２は、延長突出部２１３ａと同じ幅を有したもので、延長突出部２１３ａからそれぞれ引手本体２１０のフランジ２１２に近接する方向に屈曲している。押圧片部２２２の先端とフランジ２１２の裏面との間には、隙間が確保してある。２つの押圧片部２２２は、先端に向けて漸次相互間隔が大きくなるように傾斜している。２つの押圧片部２２２の先端部相互間には、取付孔３２の長手方向に沿った開口長さよりも大きな寸法が確保してある。また、図７−１に示すように、一方の押圧片部２２２のみを取付孔３２に挿通させて斜めの姿勢となった状態においては、延長突出部２１３ａのもう一方の端部が取付孔３２の開口端をわずかに超えた位置となり、取付孔３２に挿通不可となるように、延長突出部２１３ａの寸法及び押圧片部２２２の屈曲角度が設定してある。
【００４４】
係止片部２２３は、押圧片部２２２の幅方向中央部において延長突出部２１３ａとの屈曲部近傍を切り起こすことによって構成した小片状部分であり、先端部が押圧片部２２２よりも外側に突出している。２つの係止片部２２３は、先端に向けて漸次相互間隔が大きくなるように傾斜している。２つの係止片部２２３の先端部相互間には、取付孔３２の長手方向に沿った開口長さよりも大きな寸法が確保してある。この係止片部２２３は、フランジ２１２の裏面を縦框部材３０の見付け面に当接させた場合に、取付孔３２を通過し、先端が溝状凹部３１の底壁３１ａに対して内表面から対向できるように、延長突出部２１３ａからの寸法が設定してある。
【００４５】
上記のように構成した掘込引手２０を縦框部材３０に取り付けるには、図７−１に示すように、一方の押圧片部２２２のみを取付孔３２に挿通させて斜めの姿勢とし、この状態からもう一方の端部を取付孔３２の内部に押し込んで図７−２に示すように、凸部２１３を取付孔３２の内部に配置させれば良い。すなわち、一方の押圧片部２２２のみを取付孔３２に挿通させて斜めの姿勢とした場合には、図８の（ａ）に示すように、もう一方の端部から突出する延長突出部２１３ａが取付孔３２の開口端をわずかに超えた位置となる。従って、この部分を押し込むように掘込引手２０に力を加えると、図８の（ｂ）に示すように、延長突出部２１３ａが凸部２１３との接合境界線Ｃ′を軸としてフランジ２１２の裏面に近接する方向に弾性変形する。これにより、延長端部１２１ａが取付孔３２の内部に配置されるとともに、凸部２１３からの突出長さが短くなるため、延長突出部２１３ａから屈曲した押圧片部２２２及び係止片部２２３がそれぞれ取付孔３２に挿入し易い傾斜角度となって取付孔３２の内部に案内される。
【００４６】
しかも、押圧片部２２２の先端がフランジ２１２の裏面に当接した後においては、延長突出部２１３ａの弾性変形が進行しないため、掘込引手２０を押し込む力が取付孔３２の開口縁部に当接した係止片部２２３に効率よく伝えられることになり、大きな操作力を加えなくても係止片部２２３が内方に向けて弾性変形されることになる。その後、図８の（ｃ）に示す状態を経て図８の（ｄ）に示すように、係止片部２２３の先端が取付孔３２を通過した時点で係止片部２２３及び延長突出部２１３ａがそれぞれ元の状態に復帰し、係止片部２２３の先端が底壁３１ａの内表面に対向された状態となるとともに、取付片１２０の押圧片部２２２が取付孔３２において弧状部３２ａの内周面に圧接された状態となる。押圧片部２２２が取付孔３２の弧状部３２ａに圧接された状態においては、取付孔３２の長手方向及び短手方向への取付片１２０の移動が制限されることになる。これらの結果、ネジ部材等の取付部材を用いなくても、縦框部材３０に対してがたつくことなく掘込引手２０を取り付けることができるようになる。
【符号の説明】
【００４７】
１０，２０  掘込引手、３０  縦框部材、３１  溝状凹部、３１ａ  底壁、３２  取付孔、３２ａ  弧状部、１１０，２１０  引手本体、１１１，２１１  手掛かり用凹部、１１２，２１２  フランジ、１１３，２１３  凸部、１２０  取付片、１２１  取付基部、１２１ａ，２１３ａ  延長突出部、１２２，２２２  押圧片部、１２３，２２３  係止片部、Ｃ  接触線、Ｃ′  接合境界線
【図１】
2015158088.tif 000003
【図２−１】
2015158088.tif 000004
【図２−２】
2015158088.tif 000005
【図３−１】
2015158088.tif 000006
【図３−２】
2015158088.tif 000007
【図４】
2015158088.tif 000008
【図５−１】
2015158088.tif 000009
【図５−２】
2015158088.tif 000010
【図６】
2015158088.tif 000011
【図７−１】
2015158088.tif 000012
【図７−２】
2015158088.tif 000013
【図８】
2015158088.tif 000014